(57)【要約】      （修正有）【課題】ハンガー部材の向きを容易に変えることができ、利便性を向上させたハンガー具を提供する。【解決手段】ハンガー具は、伸縮ポール１０、複数個のスペーサ２０、及びハンガー部材３０を備える。伸縮ポール１０は、伸縮自在に構成され、伸長により両端部の受け座１２，１３が天井面と床面に固定される。複数個のスペーサ２０は、筒状に構成されて伸縮ポール１０に挿入される。ハンガー部材３０は、筒状に構成された挿入部、及び挿入部と一体的に設けられたアーム部を有し、スペーサ２０間の伸縮ポール１０に挿入部が回転自在に挿入される。【選択図】図１
0003166498.tif 000002
【実用新案登録請求の範囲】
【請求項１】
伸縮自在に構成され、伸長により両端部が上下設置面に固定される伸縮ポールと、
筒状に構成され、前記伸縮ポールに挿入される複数個のスペーサと、
筒状に構成された挿入部、及び前記挿入部と一体的に設けられたアーム部を有し、前記スペーサ間の前記伸縮ポールに前記挿入部が回転自在に挿入されるハンガー部材とを備えたことを特徴とするハンガー具。
【請求項２】
前記伸縮ポール及び前記スペーサは少なくとも上下方向の長さが異なる複数の種類が用意され、
前記各種類の伸縮ポール及びスペーサを組み合わせて構成されることを特徴とする請求項１に記載のハンガー具。
【請求項３】
前記ハンガー部材は、前記アーム部の長手方向に出し入れ可能に挿入された延長部材を有することを特徴とする請求項１又は２に記載のハンガー具。
【請求項４】
前記延長部材の端部に上方向の段差部を設けたことを特徴とする請求項３に記載のハンガー具。
【請求項５】
前記アーム部に少なくとも１つ以上のフックを設けたことを特徴とする請求項１乃至４のいずれか一項に記載のハンガー具。
【請求項６】
前記アーム部の上面側に少なくとも１つ以上の突起を設けたことを特徴とする請求項１乃至４のいずれか一項に記載のハンガー具。
【請求項７】
前記各スペーサは、水平方向に２分割して構成し、前記伸縮ポールに着脱自在に挿入されることを特徴とする請求項１乃至６のいずれか一項に記載のハンガー具。
【考案の詳細な説明】
【技術分野】
【０００１】  本考案は、伸縮ポールを利用したハンガー具に関する。
【背景技術】
【０００２】  従来、この種の分野の技術としては、例えば特許文献１に開示されるものがあった。
図１０は、特許文献１に開示された従来のハンガー具の一例を示す全体構成図であり、図１１は、図１０中の要部を示す分解斜視図である。
このハンガー具は、図１０に示すように、径の異なる２本のパイプ１０２，１０３を用い、両パイプを入れ子式に挿入して止め具１０４を介して上下動可能に連結し、この連結パイプを床面と天井面に突っ張り状に固定している。そして、上側のパイプ１０３には、複数のハンガー部材１０６が装着され、このハンガー部材１０６に各種の小物が吊り掛けられるようになっている。【０００３】  また、図１１に示すように、ハンガー部材１０６は、パイプ１０３の外周に上下動可能に嵌合する第１クランプ１１７と第２クランプ１１９を備えており、棒状のハンガー本体１２０，１２１がそれぞれ第１クランプ１１７，第２クランプ１１９の外周に突設されている。そして、ハンガー部材１０６を任意の高さに固定するために、第２クランプ１１９にはテーパ面１２２と切欠１２３が設けられ、上側の第１クランプ１１７で下側の第２クランプ１１９を径方向の内向きに締めつけるようにしている。
また、上記ような第１クランプ１１７及び第２クランプ１１９を用いるよりも容易な構成でハンガー部材を任意の高さに固定する方法として、ハンガー部材を伸縮ポールに直接ネジ止めする方法を採ったハンガー具も知られている。
【先行技術文献】
【特許文献】
【０００４】
【特許文献１】実開平７−３４７４８号公報
【考案の概要】
【考案が解決しようとする課題】
【０００５】  しかしながら、上記特許文献１のハンガー具では、第２クランプ１１９に設けられたテーパ面１２２と切欠１２３を利用して、上側の第１クランプ１１７で下側の第２クランプ１１９を径方向の内向きに締めつけるようにしているため、締結後はハンガー部材１０６をパイプ１０３の周方向にスムーズに回転させることができない。また、ハンガー部材をネジ止めするように構成したハンガー具においても、ネジ止め固定後はハンガー部材を伸縮ポールの周方向に回転させることができない。そのため、これら従来のハンガー具では、ハンガー部材の向きを容易に変えることができず、使い勝手が悪かった。【０００６】  例えば、タオルなどの干し物を乾かすためにハンガー具を利用する際に、上側のハンガー部材に掛かっている干し物が下側のハンガー部材に掛かっている干し物に重なることがある。このような場合には、各々の干し物をずらして通気を良くし干し物の乾燥を早める工夫をするのが一般的であるが、特許文献１のハンガー具の使用者では、ハンガー部材１０６の向きを変えるために、一旦、第１クランプ１１７と第２クランプ１１９を上下方向に引き離し、ハンガー本体１２０，１２１を所望の向きに設定し直す必要があった。また、ネジ止めのハンガー具の使用者では、締めつけてあるネジを一旦緩め、ハンガー部材を所望の向きに設定した後、再びネジを締めつける必要があった。このように、従来のハンガー具では、ハンガー部材を回転させてその向きを変えるためには煩雑な作業が必要となり、不便であった。【０００７】  また、ネジ止めのハンガー具においては、使用者が、ある程度の強い力でハンガー部材を押圧して回転させることも可能であるが、しかし、このような状態でハンガー部材を回転させた場合には、伸縮ポールにキズが付いて美観が損なわれるだけでなく、使用中にネジの締めつけが緩んで、ハンガー部材に比較的重い干し物を掛けた際にはハンガー部材が落下するなど強度面でも支障がある。【０００８】  本考案は、このような事情に鑑みてなされたもので、その目的は、ハンガー部材の向きを容易に変えることができ、利便性を向上させたハンガー具を提供することにある。また、その他の目的は、使用者の用途に合わせてハンガー具の形態を自在に構築することができるようにすることである。
【課題を解決するための手段】
【０００９】  上記目的を達成するために、第１の考案であるハンガー具は、伸縮自在に構成され、伸長により両端部が上下設置面に固定される伸縮ポールと、筒状に構成され、前記伸縮ポールに挿入される複数個のスペーサと、筒状に構成された挿入部、及び前記挿入部と一体的に設けられたアーム部を有し、前記スペーサ間の前記伸縮ポールに前記挿入部が回転自在に挿入されるハンガー部材とを備えたことを特徴とする。【００１０】  第２の考案であるハンガー具は、上記第１の考案のハンガー具において前記伸縮ポール及び前記スペーサは少なくとも上下方向の長さが異なる複数の種類が用意され、前記各種類の伸縮ポール及びスペーサを組み合わせて構成されることを特徴とする。【００１１】  第３の考案であるハンガー具では、第１又は第２の考案のハンガー具において、前記ハンガー部材は前記アーム部の長手方向に出し入れ可能に挿入された延長部材を有することを特徴とする。【００１２】  第４の考案であるハンガー具では、第３の考案のハンガー具において、前記延長部材の端部に上方向の段差部を設けたことを特徴とする。【００１３】  第５の考案であるハンガー具では、第１乃至第４の考案のいずれか１つのハンガー具において、前記アーム部に少なくとも１つ以上のフックを設けたことを特徴とする。【００１４】  第６の考案であるハンガー具では、第１乃至第４の考案のいずれか１つのハンガー具において、前記アーム部の上面側に少なくとも１つ以上の突起を設けたことを特徴とする。【００１５】  第７の考案であるハンガー具では、第１乃至第６の考案のいずれか１つのハンガー具において、前記各スペーサは、水平方向に２分割して構成し、前記伸縮ポールに着脱自在に挿入されることを特徴とする。
【考案の効果】
【００１６】  第１の考案であるハンガー具によれば、ハンガー部材を径方向にスムーズに回転することができるので、使用者の用途に合わせてハンガー部材の向きを容易に変えることができ、利便性が向上する。【００１７】  第２の考案であるハンガー具によれば、使用者の用途に合わせて伸縮ポール及びスペーサの種類を替えることができるので、使用者の用途に合わせてハンガー具の形態を自在に構築することが可能になり、より一層、利便性が向上する。【００１８】  第３の考案であるハンガー具によれば、延長部材によりアーム部が延長されるので、ハンガー具に対する使用者の用途が拡大し、例えば幅広の掛け物を使用対象とすることができる。【００１９】  第４の考案であるハンガー具では、延長部材の端部に段差部があるので、掛け物の落下を未然に防止することができる。【００２０】  第５の考案であるハンガー具によれば、アーム部にフックを設けたので、ハンガー具に対する使用者の用途が拡大し、例えば吊り輪のある掛け物等を使用対象とすることができる。【００２１】  第６の考案であるハンガー具によれば、アーム部に突起を設けたので、ハンガー具に対する使用者の用途が拡大し、例えば吊り輪のある掛け物等を使用対象とすることができる。【００２２】  第７の考案であるハンガー具では、各スペーサを伸縮ポールに着脱自在に挿入するようにしたので、伸縮ポールからの各スペーサの取り外しが容易になり、ハンガー部材の高さ位置調整を簡単に行うことができる。
【図面の簡単な説明】
【００２３】
【図１】本考案の第１の実施形態に係るハンガー具の構成例を示す全体構成図である。
【図２】図１のハンガー具の構成部品を示す斜視図である。
【図３】ハンガー部材の他の構成例を示す斜視図である。
【図４】本考案の第２の実施形態に係るハンガー具の構成例を示す全体構成図である。
【図５】本考案のハンガー具におけるスペーサの第１の変形例を示す斜視図である。
【図６】図５に示すハンガー具の断面略図である。
【図７】本考案のハンガー具におけるスペーサの第２の変形例を示す斜視図である。
【図８】本考案のハンガー具におけるスペーサの第３の変形例を示す斜視図である。
【図９】本考案のハンガー具におけるスペーサの第４の変形例を示す斜視図である。
【図１０】従来のハンガー具の一例を示す全体構成図である。
【図１１】図１０中の要部を示す分解斜視図である。
【考案を実施するための形態】
【００２４】  以下、本考案の実施の形態について、図面を参照しながら説明する。
＜第１の実施形態＞
図１は、本考案の第１の実施形態に係るハンガー具の構成例を示す全体構成図であり、図２（ａ），（ｂ）は、図１のハンガー具の構成部品を示す斜視図である。
図１に示すハンガー具は、例えば一般的な部屋に設置されるもので、伸縮ポール１０と、複数個のスペーサ２０と、ハンガー部材３０とで構成されている。
【００２５】  伸縮ポール１０は、円筒状のポール本体１１の両端部に受け座１２，１３がネジ込みで取り付けられる構造であり、例えば受け座１２，１３を左回転させることにより伸縮ポール１０が伸長し、右回転することにより伸縮ポール１０が収縮する。このような伸縮構造を備えた伸縮ポール１０は、伸縮ポール１０の伸長により、ポール本体１１の両端部の受け座１２，１３が天井面１２Ａと床面１３Ａに固定される、所謂突っ張り状態にすることができる。
【００２６】  スペーサ２０は、ハンガー部材３０の高さ位置を調整するための部材であり、図２（ａ）に示すように円筒状に構成され、伸縮ポール１０に複数個挿入される。ハンガー部材３０は、各スペーサ２０間のポール本体１１にそれぞれ挿入される。具体的には、ハンガー部材３０は、図２（ｂ）に示すように、円筒状に構成された挿入部３１と、挿入部３１に一体的に設けられたアーム部３２を有する。そして、各スペーサ２０間のポール本体１１に、ハンガー部材３０の挿入部３１がそれぞれ回転自在に挿入される構成となっている。さらに、ハンガー部材３０のアーム部３２には、アーム延長用の延長部材３３がアーム部３２の長手方向に出し入れ可能に挿入されている。
【００２７】  ここで、各構成部品の寸法例を述べる。
本実施形態では、ハンガー具が一般的な部屋に設置されるため、各構成部品の寸法もこの設置例に対応するものとなる。例えば、伸縮ポール１０の全長は：約２００ｃｍ〜２５０ｃｍであり、スペーサ２０の縦長は約１５ｃｍである。ハンガー部材３０の縦長は約５ｃｍであり、横長は約３６ｃｍである。また、ハンガー部材３０の挿入部３１の外径及び内径は、スペーサ２０のそれと略同じ寸法であり、その内径はポール本体１１の外壁面よりも例えば１〜２ｍｍ程度大きくする。これによって、ポール本体１１の外壁面とスペーサ２０及びハンガー部材３０の挿入部３１の内壁面２０ａ，３１ａとの間に適度な空隙を形成して、スペーサ２０及びハンガー部材３０がポール本体１１の外壁面に沿ってスムーズに移動できるようにしてある。
【００２８】  なお、伸縮ポール１０の伸縮構造は、上記例に限定されるものではなく、例えば図１０の例のように径の異なる２本のパイプを用い、両パイプを入れ子式に挿入して上下動可能に連結し、止め具で伸縮調整する構造であっても構わない。このような構造では、止め具より上方のポールに各スペーサ２０とハンガー部材３０を挿入することになる。
【００２９】  次に、上記構成のハンガー具の組み立て方法及び設置方法の一例について説明する。
始めに、一般部屋設置用のハンガー具の構成部品として、１本のポール本体１１、２つの受け座１２，１３、９個のスペーサ２０、及び８個のハンガー部材３０がそれぞれ単体で用意されているものとする。
【００３０】  まず、ポール本体１１の一方の端部に床面用の受け座１３をねじ込んで取り付け、ポール本体１１の他方の端部から、スペーサ２０とハンガー部材３０を一個ずつ交互に挿入した後、ポール本体１１の他方の端部に天井用の受け座１２をねじ込んで取り付ける。予め、天井面と床面との距離に合わせて受け座１２，１３を取り付けておくことが望ましい。これでハンガー具の組み立ては完了である。
【００３１】  次に、このように組み立てた状態でハンガー具を部屋の設置場所に立てると、ポール本体１１に挿入した各スペーサ２０とハンガー部材３０が自重で下方に移動し、床面１３Ａから最上のスペーサ２０までの距離が利用上限の高さの約１８０ｃｍ程度となる。この状態で、各ハンガー部材３０は伸縮ポール１０の周方向に回転自在となっている。続いて、受け座１２，１３の一方又は両方を左方向に廻して、伸縮ポール１０を天井面１２Ａと床面１３Ａとの間で突っ張り状態に固定する。このように設置すれば、図１に示した構成のハンガー具が仕上がる。
このように、本考案のハンガー具の組み立て及び設置は簡単に行うことができる。
【００３２】  また、本考案のハンガー部材は、図２（ｂ）に示すようなハンガー部材３０の他にも、使用者の用途に合わせて様々な種類のものがオプションパーツとして用意されている。図３（ａ），（ｂ），（ｃ）は、ハンガー部材の他の構成例を示す斜視図である。
図３（ａ）に示すハンガー部材３０Ａ  は、アーム部３２の側面に複数のフック３４を取り付けた構成であり、図３（ｂ）に示すハンガー部材３０Ｂは、アーム部３２の上面に複数の突起３５を取り付けた構成である。また、図３（ｃ）に示すハンガー部材３０Ｃは、アーム部３２の上面に滑り止め用の複数の凹凸３２ａを形成し、さらに延長部材３３の端部３３ａに、ずり落ち防止用の上方向段差部３３ａを形成した構成である。なお、凹凸３２ａに代えてゴムなどの滑り止め材を貼り付けるようにしても良い。
【００３３】  次に、図１に示した本実施形態のハンガー具の使用例について説明する。
最下段のハンガー部材には、図２（ｂ）に示すハンガー部材３０を用い、延長部材２２をアーム部３２内に収納した状態で使用して、例えば雑巾などを掛ける。下から２段目のハンガー部材には、図３（ａ）に示すフック付きのハンガー部材３０Ａを用い、フック３４に例えば靴などを掛ける。下から３段目のハンガー部材には、図３（ｂ）に示す突起付きハンガー部材３０Ｂを用い、突起３５に例えばスリッパなどを掛ける。残りのハンガー部材には、ハンガー部材３０又は図３（ｃ）に示すハンガー部材３０Ｃを用い、タオル等を掛けて干す。この場合、バスタオルなど幅広の掛け物は、アーム部３２から延長部材３３を引き出して使用する。
【００３４】  本実施形態のハンガー具によれば、ハンガー部材３０，３０Ａ，３０Ｂ，３０Ｃを伸縮ポール１０の周方向にスムーズに回転することができるので、使用者の用途に合わせてハンガー部材３０，３０Ａ，３０Ｂ，３０Ｃの向きを容易に変えることができ、利便性が向上する。例えば、タオルなどの干し物を乾かすためにハンガー部材を利用する際に、上側のハンガー部材に掛かっている干し物が下側のハンガー部材に掛かっている干し物に重なるような場合でも、ハンガー部材の向きをワンタッチで変えて、干し物の重なりを解消することができる。また、全ての干し物が乾いたら全てのハンガー部材の向きを一定の方向に寄せて人の往来の邪魔にならないようにし、部屋のスペースの有効利用を図ることも簡単にできる。
【００３５】  さらに、オプションパーツとして多種類のハンガー部材を用意しているので、ハンガー具に対する使用者の用途が拡大し、利用者の利便性が一層向上する。
また、アーム部３２から延長部材３３を引き出すことによりアーム部３２が延長されるので、ハンガー具に対する使用者の用途が拡大し、例えばバスタオルなど幅広の掛け物を使用対象とすることができる。
【００３６】  次に、本考案のハンガー具をシステム的に構成する場合について説明する。
伸縮ポール及びスペーサは、上下方向の長さなどが異なる複数の種類を用意し、これら各種類の伸縮ポール及びスペーサを使用者の用途に合わせて組み合わせて使用することにより、ハンガー具を様々な構成にアレンジすることができる。
【００３７】  ハンガー具の構成をアレンジするに際し、使用者の利便性を高めるために、次のようなことも考えられる。即ち、本考案のハンガー具をキット販売する販売者は、使用者の用途に適合する必要最小限の構成部品を梱包した基本セットを販売すると共に、その他のオプションパーツとなる構成部品も販売する。第１の実施形態で説明した一般部屋に使用するハンガー具の場合では、販売者は、例えば、２００ｃｍ〜２５０ｃｍ位の伸縮ポールを１本、１５ｃｍのスペーサを９個、及び図２（ｂ）に示すようなハンガー部材を８個を基本セットとして用意し、使用者は、この基本セットの他に、フック付きのハンガー部材３０Ａや突起付きハンガー部材３０Ｂをオプションパーツとして購入することになる。
【００３８】  本考案のハンガー具によれば、上述したように組み立て及び設置を簡単に行うことができるので、ハンガー具の構成をアレンジする場合でも、使用者は軽負担で短時間に行うことが可能になる。即ち、本考案のハンガー具の構成によればハンガー具の組み立て及び設置を簡単に行うことができるので、本考案のハンガー具の構成は、ハンガー具をアレンジ構成する場合に適し、使用者の利便性の向上に寄与するものである。
【００３９】＜第２の実施形態＞
図４は、本考案の第２の実施形態に係るハンガー具の構成例を示す全体構成図であり、図１と共通の要素には同一の符号を付し、その説明を省略する。
図４に示すハンガー具は、例えばクローゼットに設置されるものであり、全てのハンガー部材が、伸縮ポール１０の略中間の位置から上方に設置された形態である。具体的には、略中間位置まで達する長めの３本のスペーサ２１Ａ，２１Ｂ，２１Ｃを介して最下段のハンガー部材３０が設置され、さらにその上方には、２段目から４段目のハンガー部材３０が短尺のスペーサ２０を介して挿入されている。このハンガー部材の設置位置は、スペーサの本数の組み合わせで適宜変更される。即ち、脱着容易なスペーサの長さを組み合わせて、ハンガー部材の高さや使い位置を容易に選択することができる。
【００４０】  このハンガー具は、ハンガー部材として例えばハンガー部材３０又は図３（ｃ）に示すハンガー部材３０Ｃを用い、背広などの衣類を掛けるようにして、使用する。
クローゼットに使用する本実施形態のハンガー具の場合では、販売者は、例えば、２００ｃｍ位の伸縮ポールを１本、３０ｃｍ位のスペーサを３個、１５ｃｍのスペーサを４個、及び図２（ｂ）に示すようなハンガー部材３０を４個含む基本セットとして用意し、使用者は、この基本セットの他に、滑り止め付きのハンガー部材３０Ｃをオプションパーツとして購入することになる。
なお、ハンガー具の形態としては、上記説明したほかに、押し入れに使用するハンガー具や、洗面台に使用するハンガー具等が挙げられる。これらハンガー具の形態は、各々に対応するオプションツールを取り寄せることにより容易にアレンジすることが可能である。例えば、第１の実施形態で示したような一般部屋用のハンガー具を購入した場合であっても、オプションツールとして長めの３本のスペーサ２１Ａ，２１Ｂ，２１Ｃを取り寄せることにより、本実施の形態に示すクローゼット用のハンガー具にアレンジすることも簡単にできる。
【００４１】＜第３の実施形態＞
上記の実施形態では、スペーサを入れ替える際に、伸縮ポール１０の突っ張り状態を解除し、伸縮ポール１０の受け座１２又は１３を取り外す必要があり、使用者の利便性向上の観点から問題を残していた。本実施形態では、この問題を解消するために、スペーサを水平方向に２分割して構成するようにしたものである。
図５は、本考案のハンガー具に用いられるスペーサの第１の変形例を示す斜視図であり、図６はその断面略図である。
図５及び図６に示すスペーサ２０Ａは、例えば図１及び図４に示したスペーサ２０に代えて用いられるものであり、分割された２つのスペーサ片２１，２２を嵌め合わせるため、ハンガー部材３０の挿入部３１の上下端部に凹部３１ｂ，３１ｃ、スペーサ２０Ａの上下端部に凸部２０ｂ，２０ｃをそれぞれ設けている。
スペーサをポール本体１１に装着する際には、直上のハンガー部材３０を持ち上げて隙間を空け、ポール本体１１を挟み込むように２つのスペーサ片を合わせて上下のハンガー部材３０と嵌め合い、２つのスペーサ片を組み合わせる。
【００４２】  図７（ａ），（ｂ）は、本考案のハンガー具に用いられるスペーサの第２の変形例を示す斜視図である。
図７に示すスペーサ２０Ｂでは、分割された２つのスペーサ片２１，２２をヒンジ部２４で連結し、ポール本体１１に開口部２３を開いて装着する。そして、ねじ穴２５を通して開口部２３をネジ止めする。なお、図７中の２６ａはヒンジ止めピンである。
【００４３】  図８（ａ），（ｂ），（ｃ）は、本考案のハンガー具に用いられるスペーサの第３の変形例を示す斜視図である。
図８（ａ）に示すスペーサ２０Ｃでは、分割された２つのスペーサ片２１，２２を板状のスプリングヒンジ２６で連結し、ポール本体１１に開口部２３を開いて装着すると、板状のスプリングヒンジ２６の弾性的付勢力により開口部２３が閉じるようになっている。
図８（ｂ），（ｃ）に示すスペーサ２０Ｄでは、分割された２つのスペーサ片２１，２２が、薄肉ヒンジ部２８で一体的に連結されており、その反対側の開口部２３にはパッチン止め部２７が形成されている。パッチン止め部２７は、爪状の係止め樹脂部２７ａと、これを係止めするための凹部２７ｃとで構成される。爪状の係止め樹脂部２７は一方のスペーサ片２１の開口部２３中央付近に延設され、凹部２７ｃは他方のスペーサ片２１の開口部２３中央付近に形成されている。そして、スペーサ２０Ｄの開口部２３を開いてポール本体１１に装着した後、スペーサ２０Ｄを径方向内側に押圧すれば、係止め樹脂部２７の弾性的付勢力により係止め樹脂部２７の爪２７ｂが凹部２７ｃに係止めされ、開口部２３が閉じるようになっている。
【００４４】  図９は、本考案のハンガー具に用いられるスペーサの第４の変形例を示す斜視図である。
図９に示すスペーサ２０Ｅでは、分割された２つスペーサ片２１，２２をポール本体１１に挟み込んだ状態で例えば２箇所、ネジ穴２１ａ，２２ａ，２１ｂ，２２ｂを通してネジ止めする。
なお、第３の実施形態で示した上記スペーサを用いてハンガー具を組み立てる際には、予め、必要な個数のハンガー部材３０をポール本体１１に挿入しておくことになる。
【符号の説明】
【００４５】１０  伸縮ポール
１１  ポール本体
１２，１３  受け座
２０  スペーサ
３０  ハンガー部材
３１  挿入部
３２  アーム部
３３  延長部材
【図１】
0003166498.tif 000003
【図２】
0003166498.tif 000004
【図３】
0003166498.tif 000005
【図４】
0003166498.tif 000006
【図５】
0003166498.tif 000007
【図６】
0003166498.tif 000008
【図７】
0003166498.tif 000009
【図８】
0003166498.tif 000010
【図９】
0003166498.tif 000011
【図１０】
0003166498.tif 000012
【図１１】
0003166498.tif 000013